(57)【要約】【課題】  撮像装置の動作モードに応じて顕微鏡装置のシャッタを適切に開閉制御することにより、観察中の快適性と試料の褪色など試料の損傷防止とを両立することが可能な撮像装置、該撮像装置が実行する照明光制御方法および照明光制御プログラムを提供すること。【解決手段】  照明光を出射する光源と上記光源より出射された照明光を試料に照射するように導くための照明光学系と上記試料に導かれる照明光を遮光する遮光手段と上記照明光が照射された試料から出力された観察光を集光して結像する結像光学系とを備えた顕微鏡装置による観察画像を撮像する撮像装置であって、上記結像光学系により結像された観察光を検出する撮像素子と、上記撮像素子により検出した観察光に基づいて、上記試料の画像を表示する表示手段と、上記表示手段が表示する動作モードに対応して、上記遮光手段を制御する制御手段とを備える。【選択図】      図６
2005316036.tif 000002
【特許請求の範囲】
【請求項１】
照明光を出射する光源と、前記光源より出射された照明光を試料に照射するように導くための照明光学系と、前記試料に導かれる照明光を遮光する遮光手段と、前記照明光が照射された試料から出力された観察光を集光して結像する結像光学系とを備えた顕微鏡装置による観察画像を撮像する撮像装置であって、
前記結像光学系により結像された観察光を検出する撮像素子と、
前記撮像素子により検出した観察光に基づいて、前記試料の画像を表示する表示手段と、
前記表示手段が表示する動作モードに対応して、前記遮光手段を制御する制御手段と、
を備えることを特徴とする撮像装置。
【請求項２】
前記制御手段は、前記動作モードが動画表示モードの際には前記試料へ常に照明光が照射されるように前記遮光手段を制御し、前記動作モードが静止画表示モードの際には露光期間にのみ前記試料へ照明光が照射されるように前記遮光手段を制御することを特徴とする請求項１に記載の撮像装置。
【請求項３】
前記撮像素子が有する暗電流に起因するノイズを抑制するノイズ抑圧手段をさらに備え、
前記制御手段は、前記動作モードが明時画像を取得するモードの際には露光期間にのみ前記試料へ照明光が照射されるように前記遮光手段を制御し、前記動作モードが暗時画像を取得するモードの際には露光期間中の前記試料への照明光を遮光するように前記遮光手段を制御することを特徴とする請求項１または２に記載の撮像装置。
【請求項４】
前記光源は、落射照明光源であり、
前記遮光手段は、開いていることにより前記照明光が前記試料へ照射され、かつ閉じることにより前記照明光を遮光する落射シャッタであることを特徴とする請求項１乃至３の何れか１項に記載の撮像装置。
【請求項５】
前記光源は、透過照明光源であり、
前記遮光手段は、開いていることにより前記照明光が前記試料へ照射され、かつ閉じることにより前記照明光を遮光する透過シャッタであることを特徴とする請求項１乃至３の何れか１項に記載の撮像装置。
【請求項６】
照明光を出射する光源と、前記光源より出射された照明光を試料に照射するように導くための照明光学系と、前記試料に導かれる照明光を遮光する遮光手段と、前記照明光が照射された試料から出力された観察光を集光して結像する結像光学系とを備えた顕微鏡装置による観察画像を撮像する撮像装置が実行する照明光制御方法であって、
前記結像光学系により結像された観察光を検出し、
前記検出した観察光に基づいて、前記試料の画像を表示する際に、動作モードに対応して前記遮光手段を制御する、
ことを特徴とする照明光制御方法。
【請求項７】
前記制御は、前記動作モードが動画表示モードの際には前記試料へ常に照明光が照射されるように前記遮光手段を制御し、前記動作モードが静止画表示モードの際には露光期間にのみ前記試料へ照明光が照射されるように前記遮光手段を制御することを特徴とする請求項６に記載の照明光制御方法。
【請求項８】
さらに、前記撮像素子が有する暗電流に起因するノイズを抑制し、
前記制御は、前記動作モードが明時画像を取得するモードの際には露光期間にのみ前記試料へ照明光が照射されるように前記遮光手段を制御し、前記動作モードが暗時画像を取得するモードの際には露光期間中の前記試料への照明光を遮光するように前記遮光手段を制御することを特徴とする請求項６または７に記載の照明光制御方法。
【請求項９】
照明光を出射する光源と、前記光源より出射された照明光を試料に照射するように導くための照明光学系と、前記試料に導かれる照明光を遮光する遮光手段と、前記照明光が照射された試料から出力された観察光を集光して結像する結像光学系とを備えた顕微鏡装置による観察画像を撮像する撮像装置に実行させるための照明光制御プログラムであって、
前記結像光学系により結像された観察光を検出する手順と、
前記検出した観察光に基づいて、前記試料の画像を表示する際に、動作モードに対応して前記遮光手段を制御する手順と、
を実行させるためのコンピュータ実行可能な照明光制御プログラム。
【請求項１０】
前記制御する手順は、前記動作モードが動画表示モードの際には前記試料へ常に照明光が照射されるように前記遮光手段を制御し、前記動作モードが静止画表示モードの際には露光期間にのみ前記試料へ照明光が照射されるように前記遮光手段を制御することを特徴とする請求項９に記載の照明光制御プログラム。
【請求項１１】
前記撮像素子が有する暗電流に起因するノイズを抑制する手順をさらに備え、
前記制御する手順は、前記動作モードが明時画像を取得するモードの際には露光期間にのみ前記試料へ照明光が照射されるように前記遮光手段を制御し、前記動作モードが暗時画像を取得するモードの際には露光期間中の前記試料への照明光を遮光するように前記遮光手段を制御することを特徴とする請求項９または１０に記載の照明光制御プログラム。
【発明の詳細な説明】
【技術分野】
【０００１】
本発明は、撮像装置、照明光制御方法および照明光制御プログラムに関し、特に、照明光を出射する光源と、上記光源より出射された照明光を試料に照射するように導くための照明光学系と、上記試料に導かれる照明光を遮光する遮光手段と、上記照明光が照射された試料から出力された観察光を集光して結像する結像光学系とを備えた顕微鏡装置による観察画像を撮像する撮像装置、該撮像装置が実行する照明光制御方法および照明光制御プログラムに関するものである。
【背景技術】
【０００２】
従来、顕微鏡装置による蛍光観察あるいは蛍光撮影において、照明光による試料の褪色などの損傷を抑えるために、撮像装置が出力するいわゆるトリガ信号によって照明光のシャッタを開閉制御させることが知られている（例えば、特許文献１参照。）。
従来の顕微鏡装置の構成を、以下簡単に説明する。
【０００３】
光源より発した照明光は、照明レンズを透過して、ハーフミラーに入射する。ハーフミラーに入射した照明光のうちハーフミラーで反射した照明光は、対物レンズを透過してステージ上に載置された試料を照射する。ここで、光軸方向をＺ方向とし、Ｚ方向と直交する平面内で互いに直交する２方向をＸ、Ｙ方向とすると、ステージはステージ駆動系にて、ＸＹＺ方向に移動可能となっている。
【０００４】
試料で反射した観察光は、対物レンズを透過して、ハーフミラーに入射する。ハーフミラーを透過した観察光は、結像レンズを透過してイメージセンサー上に結像する。イメージセンサーの出力信号は、ビデオ信号処理回路にて画像信号に変換された後、モニターに転送される。これによって、試料の画像がモニター上に表示される。
【０００５】
このような顕微鏡装置に用いられるシャッタは、撮像装置が画像取得するときの露光期間にシャッタが開くようトリガ信号を受け、それ以外の期間はシャッタが閉じるよう一律に動作し、必要以上の照明光が試料に照射されないようにするものである（例えば、特許文献２参照。）。
【特許文献１】特開平７−１９９０７２号公報
【特許文献２】特開２０００−３３００３３号公報
【発明の開示】
【発明が解決しようとする課題】
【０００６】
しかしながら、撮像装置は近年その動作方法が多様化され、例えば動画の表示と静止画の取得、あるいは露光時間や素子温度に起因する撮像素子の暗電流ノイズ抑圧など様々な撮像方法がとられるようになっている。
従って、従来から知られている方法のように、撮像装置の露光期間に合わせて一律に照明光を透過、遮光制御を行なうだけでは観察の快適性と試料への損傷妨止とを両立できないという問題点があった。
【０００７】
例えば、動画表示中であっても毎フレームの露光期間にシャッタを透過／遮光を繰り返すので、撮像装置の動画表示による観察中は常にシャッタの開閉音が発せられ続け、使用者は煩わしい音を耳にすることになり快適性を確保できないという問題点があった。
また、暗時ノイズ抑圧するための明時画像、暗時画像の複数枚の画像を取得する場合は、試料を照明する必要のない暗時画像撮影時にも照明光が試料に照射されることになり、試料への損傷を防止できないという問題点があった。
【０００８】
本発明は、上記従来技術の欠点に鑑みてなされたもので、撮像装置の動作モードに応じて顕微鏡装置のシャッタを適切に開閉制御することにより、観察中の快適性と試料の褪色など試料の損傷防止とを両立することが可能な撮像装置、該撮像装置が実行する照明光制御方法および照明光制御プログラムを提供することを目的とする。
【課題を解決するための手段】
【０００９】
本発明は、上記課題を解決するため、下記のような構成を採用した。
すなわち、本発明の一態様によれば、本発明の撮像装置は、照明光を出射する光源と上記光源より出射された照明光を試料に照射するように導くための照明光学系と上記試料に導かれる照明光を遮光する遮光手段と上記照明光が照射された試料から出力された観察光を集光して結像する結像光学系とを備えた顕微鏡装置による観察画像を撮像する撮像装置であって、上記結像光学系により結像された観察光を検出する撮像素子と、上記撮像素子により検出した観察光に基づいて、上記試料の画像を表示する表示手段と、上記表示手段が表示する動作モードに対応して、上記遮光手段を制御する制御手段とを備えることを特徴とする。
【００１０】
また、本発明の撮像装置は、上記制御手段が、上記動作モードが動画表示モードの際には上記試料へ常に照明光が照射されるように上記遮光手段を制御し、上記動作モードが静止画表示モードの際には露光期間にのみ上記試料へ照明光が照射されるように上記遮光手段を制御することが望ましい。
【００１１】
また、本発明の撮像装置は、上記撮像素子が有する暗電流に起因するノイズを抑制するノイズ抑圧手段をさらに備え、上記制御手段が、上記動作モードが明時画像を取得するモードの際には露光期間にのみ上記試料へ照明光が照射されるように上記遮光手段を制御し、上記動作モードが暗時画像を取得するモードの際には露光期間中の上記試料への照明光を遮光するように上記遮光手段を制御することが望ましい。
【００１２】
また、本発明の撮像装置は、上記光源が落射照明光源であり、上記遮光手段が開いていることにより上記照明光が上記試料へ照射され、かつ閉じることにより上記照明光を遮光する落射シャッタであることが望ましい。
また、本発明の撮像装置は、上記光源が透過照明光源であり、上記遮光手段が開いていることにより上記照明光が上記試料へ照射され、かつ閉じることにより上記照明光を遮光する透過シャッタであることが望ましい。
【００１３】
また、本発明の一態様によれば、本発明の照明光制御方法は、照明光を出射する光源と上記光源より出射された照明光を試料に照射するように導くための照明光学系と上記試料に導かれる照明光を遮光する遮光手段と上記照明光が照射された試料から出力された観察光を集光して結像する結像光学系とを備えた顕微鏡装置による観察画像を撮像する撮像装置が実行する照明光制御方法であって、上記結像光学系により結像された観察光を検出し、上記検出した観察光に基づいて、上記試料の画像を表示する際に、動作モードに対応して上記遮光手段を制御することを特徴とする。
【００１４】
また、本発明の照明光制御方法は、上記制御が、上記動作モードが動画表示モードの際には上記試料へ常に照明光が照射されるように上記遮光手段を制御し、上記動作モードが静止画表示モードの際には露光期間にのみ上記試料へ照明光が照射されるように上記遮光手段を制御することが望ましい。
【００１５】
また、本発明の照明光制御方法は、さらに上記撮像素子が有する暗電流に起因するノイズを抑制し、上記制御が、上記動作モードが明時画像を取得するモードの際には露光期間にのみ上記試料へ照明光が照射されるように上記遮光手段を制御し、上記動作モードが暗時画像を取得するモードの際には露光期間中の上記試料への照明光を遮光するように上記遮光手段を制御することが望ましい。
【００１６】
また、本発明の一態様によれば、本発明の照明光制御プログラムは、照明光を出射する光源と上記光源より出射された照明光を試料に照射するように導くための照明光学系と上記試料に導かれる照明光を遮光する遮光手段と上記照明光が照射された試料から出力された観察光を集光して結像する結像光学系とを備えた顕微鏡装置による観察画像を撮像する撮像装置に実行させるための照明光制御プログラムであって、上記結像光学系により結像された観察光を検出する手順と、上記検出した観察光に基づいて、上記試料の画像を表示する際に、動作モードに対応して上記遮光手段を制御する手順とを実行させるためのコンピュータ実行可能な照明光制御プログラムである。
【００１７】
また、本発明の照明光制御プログラムは、上記制御する手順が、上記動作モードが動画表示モードの際には上記試料へ常に照明光が照射されるように上記遮光手段を制御し、上記動作モードが静止画表示モードの際には露光期間にのみ上記試料へ照明光が照射されるように上記遮光手段を制御することが望ましい。
【００１８】
また、本発明の照明光制御プログラムは、上記撮像素子が有する暗電流に起因するノイズを抑制する手順をさらに備え、上記制御する手順が、上記動作モードが明時画像を取得するモードの際には露光期間にのみ上記試料へ照明光が照射されるように上記遮光手段を制御し、上記動作モードが暗時画像を取得するモードの際には露光期間中の上記試料への照明光を遮光するように上記遮光手段を制御することが望ましい。
【発明の効果】
【００１９】
本発明によれば、照明光を出射する光源と、上記光源より出射された照明光を試料に照射するように導くための照明光学系と、上記試料に導かれる照明光を遮光する遮光手段と、上記照明光が照射された試料から出力された観察光を集光して結像する結像光学系とを備えた顕微鏡装置による観察画像を撮像する撮像装置、該撮像装置が実行する照明光制御方法および照明光制御プログラムにおいて、撮像装置の動作モードに応じて顕微鏡装置の遮光手段を適切に開閉制御するので、観察中の快適性と試料の褪色など試料の損傷防止とを両立することができる。
【発明を実施するための最良の形態】
【００２０】
以下、図面を参照しながら本発明の実施の形態について述べる。
まず、図１乃至図８を用いて、本発明に係る第１の実施の形態について説明する。
図１は、顕微鏡システムの構成を示す図である。
ここで、顕微鏡システムとは顕微鏡装置に電子カメラが接続される構成である。
【００２１】
図１において、落射照明光源２１から出射された照明光は、試料３に導かれる照明光を遮光する落射シャッタ２３を介して三眼鏡筒ユニット５に入射され、さらに上記落射照明光源２１より出射された照明光を試料３に照射するように導くための照明光学系である対物レンズ２７を介して、ステージ２６上の試料３に照射される。試料３の像は、再度この対物レンズ２７、三眼鏡筒ユニット５を介して接眼レンズユニット６に導かれるとともに、上記照明光が照射された試料３から出力された観察光を集光して結像する結像レンズ１００を介して撮像装置である電子カメラ３６に投影される。
【００２２】
また電子カメラ３６と落射シャッタ２３とは電気的に接続されている。
図２は、顕微鏡システムに用いられる電子カメラの構成を示すブロック図である。
図２中に示した一点鎖線で囲まれる部分は、電子カメラ３６の構成を示している。
図２において、固体撮像素子（ＣＣＤ：Charge Coupled Devices；以下、ＣＣＤという。）４２は、カラーあるいは白黒画像を撮像するものであり、上述した顕微鏡装置の写真接眼レンズユニット３５とともに観察光路上に配置されている。
【００２３】
図１を用いて説明したように、落射照明光源２１からの照明光は、落射シャッタ２３を介して三眼鏡筒ユニット５に入射され、キューブユニット３０で反射され、さらに対物レンズ２７を介してステージ２６上の試料３に照射される。そして、試料３の像は、再度この対物レンズ２７を介して三眼鏡筒ユニット５に入射され、今度はキューブユニット３０を透過して接眼レンズユニット６に導かれるとともに結像レンズ１００を介して電子カメラ３６に投影される。
【００２４】
電子カメラ３６において、ＣＣＤ等の固体撮像素子（以下、単にＣＣＤという）４２は、  結像レンズ１００により結像された観察光を検出することにより、顕微鏡装置から投影される試料３の観察像を撮像し光電変換する。なおＣＣＤ４２は、例えば電荷蓄積中に読み出し動作が可能なインターライン型とする。
【００２５】
このＣＣＤ４２の出力信号から画像信号成分を抽出するＣＤＳ回路（相関二重サンプリング回路；Correlated Double Sampling）４３と、このＣＤＳ回路４３の出力信号レベルを所定のゲイン値に調整するためのＡＧＣ（Automatic Gain Control）回路等を含むゲイン制御手段である増幅器（ＡＭＰ：AMPlifier；以下、ＡＭＰという。）４４と、このＡＭＰ４４からの出力信号の黒レベルを決めるＯＢ（Optical Black）クランプ回路５２と、このＯＢクランプ回路５２から出力されるアナログ信号をデジタル信号に変換するＡ／Ｄ（Analog-Digital）変換器４５と、Ａ／Ｄ変換器４５から出力信号が接続され画像メモリ４６への書き込みや読み出しを制御するメモリコントローラ５５と、この画像メモリ４６から読み出された画像信号を階調補正、輪郭強調等の画像処理をする画像信号処理回路５１と、画像信号を表示可能な形態に処理する信号処理回路を含む表示手段である画像表示部５９と、画像信号を一時的に記憶するメモリ等からなるカメラ内蔵記憶手段であるＤＲＡＭ（Dynamic Random Access Memory）５６と、画像信号に圧縮処理及び伸長処理を施す圧縮伸長回路５７と、画像信号を保存するメモリーカード等の記録媒体５８と、撮影モードの設定、露光動作を開始させるトリガ信号を発生させ得るトリガスイッチ等の複数のスイッチからなる操作部６１と、上記ＣＣＤ４２の所望の露出時間や駆動方法に応じた駆動パルスなどを発生させるタイミングジェネレータ（以下、ＴＧという。）５３及びＴＧ５３や画像信号処理回路５１に同期信号に供給するシンクジェネレータ（以下、ＳＧという。）５４等によって構成されている。
【００２６】
また、 ＣＣＤ４２の内部電圧にクランプされたＳＵＢパルスを入力させるＳＵＢパルス重畳回路４９と、ＴＧ５３から供給される露光期間を示す信号を、各種動作モードの指示に対応して顕微鏡装置の落射シャッタ２３の開閉制御信号を生成し出力するシャッタ制御信号生成部９０で構成され、ＣＣＤ４２の前面にはＣＣＤ４２への観察像の投影、遮光の切替えを行なうカメラシャッタ９１が配されている。
【００２７】
そして、これらの各構成部は、制御手段であるＣＰＵ（Central Processing Unit）６０に電気的に接続されており、本実施の形態の電子カメラ３６全体は、同ＣＰＵ６０によって統括的に制御されている。なお、上記ＣＣＤ４２は電子シャッタ機能も有しており、これにより露光時間の制御を行なうことができるようになっている。
【００２８】
また、ＣＰＵ６０には、バスを介してＲＯＭ（Read Only Memory）６２およびＲＡＭ（Random Access Memory）６３が接続されており、ＲＯＭ６２に格納されている照明光制御プログラム６４を含む各種プログラムをＣＰＵ６０が読み出して実行する。特に、本発明に係る照明光制御プログラム６４は、ＣＰＵ６０がＲＡＭ６３に格納されている動作定義テーブル６５を参照しながら実行される。
【００２９】
次に、以上のように構成された電子カメラ３６である撮像装置の動作を説明する。なお、ここでは撮影時に行われる動作のうち、本発明にかかわる部分のみを説明している。
蛍光観察検鏡法では、落射照明光源２１より照射した照明光がキューブユニット３０内の蛍光キューブにより分光され、対物レンズ２７を通って試料３に照射する。試料３は上記照射された光より微弱な蛍光が発光され、発光された光が対物レンズ２７を通ってキューブユニット３０内の蛍光キューブによって上記分光とは異なる波長成分を選択的に透過されてＣＣＤ４２に投影される。
【００３０】
上記ＣＣＤ４２によって検出された観察光（画像信号）は、ＣＤＳ回路４３において画像信号成分が抽出され、ＡＭＰ４４において出力信号レベルが所定のゲイン値に調整され、ＯＢクランプ５２で黒レベルが所定の直流電圧になるよう直流再生されたのちに、Ａ／Ｄ変換器４５においてデジタル信号に変換される。このデジタル信号に変換された画像信号は、メモリコントローラ５５によって画像メモリ４６に一時的に記憶するとともに、画像信号処理回路５１へ出力し、画像信号処理回路５１においてγ補正、エッジ強調等の画像処理が施されて、上記画像表示部５９に出力されることにより、上記試料３の観察画像の表示がなされる。
【００３１】
以上が動画表示時の基本動作である。
次に静止画記録時の動作について説明する。
静止画記録時には操作部６１からの静止画記録指示によって静止画記録トリガが生成され、上述と同様に画像メモリ４６に画像信号が一時記憶される。次に画像メモリ４６から画像信号読み出して画像処理が施され画像信号処理回路５１から出力された画像信号はＤＲＡＭ５６に一時記憶され、操作部６１からの設定に従って圧縮伸長回路５７において画像信号に対する圧縮処理を行ない、記録媒体５８に記録する。操作部６１から圧縮設定がされていなければ、非圧縮のまま記録媒体５８に静止画記録も行なえる。
【００３２】
図３乃至図５を用いて、動画表示時の動作を説明する。なお、静止画を取り込む前は、通常状態として動画表示をしている。
図３は、動画表示において照明光制御プログラムが実行する処理の流れを示すフローチャートである。
【００３３】
また、図４は、動作定義テーブルのデータ構造を示す図である。
まず、照明光制御プログラム６４の実行が開始されると、ＣＰＵ６０は、動作定義テーブル６５（図４）を参照する。
そして、ステップＳ３１において、電子カメラ（撮像装置）３６の動作状態がアイドル状態、すなわち動画が非表示でかつ静止画の取得を待機している状態では閉じている落射シャッタ２３を、動作モード「動画表示中」に対応する「開」にするため、落射シャッタ２３を開けて落射照明光源２１から出射された照明光が試料３に照射するようにする。
【００３４】
次に、ステップＳ３２において、ｉ番目（例えば、１番目）のフレームで、ＳＵＢパルス（ＶＳＵＢ）を発生させ、ステップＳ３３において、ＳＵＢパルスを停止させると同時に露光期間信号ＥＸＰによりＣＣＤ４２への電荷の蓄積を開始する。
そして、ステップＳ３４において、蓄積開始からの経過時間Ｔが予め設定された露光時間ＴＥＸＰに達するまで（Ｔ＝ＴＥＸＰとなるまで）、ＣＣＤ４２への電荷の蓄積を行ない、Ｔ＝ＴＥＸＰとなったらステップＳ３５において、移送パルスＴＧを発生させ、ＣＣＤ４２への蓄積を終了する。
【００３５】
次に、ステップＳ３６において、ｉ＋１番目（例えば、２番目）のフレーム期間で、ステップＳ３３乃至ステップＳ３５でＣＣＤ４２に蓄積されたｉ番目（例えば、１番目）のフレームの出力を開始するともにメモリへの書き込みおよび画像表示を開始し、ｉ＋１番目のフレームのＳＵＢパルス（ＶＳＵＢ）を発生させる。そして、ステップＳ３７において、ｉ番目のフレームの出力、メモリへの書き込みおよび画像表示を継続させながら、ｉ＋１番目のフレームのＳＵＢパルスを停止させると同時に露光期間信号ＥＸＰによりＣＣＤ４２への電荷の蓄積を開始する。
【００３６】
ステップＳ３８においては、ｉ＋１番目のフレームの蓄積開始からの経過時間Ｔが予め設定された露光時間ＴＥＸＰに達するまで（Ｔ＝ＴＥＸＰとなるまで）、ＣＣＤ４２への電荷の蓄積を行ない、Ｔ＝ＴＥＸＰとなったらステップＳ３９において、ｉ番目のフレームの出力、メモリへの書き込みおよび画像表示を終了させるとともに、ｉ＋１番目のフレームについての移送パルスＴＧを発生させ、ＣＣＤ４２への蓄積を終了する。
【００３７】
そして、ステップＳ４０において、例えば、動画表示を停止する旨の指示の有無等に基づいて、動画表示を停止するか否かを判断する。
ステップＳ４０で停止しないと判断された場合（Ｎｏ）は、ｉを１インクリメントすることにより（ｉ＝ｉ＋１）、次のフレームを対象として、ステップＳ３６以降を繰り返す。一方、ステップＳ４０で停止すると判断された場合（Ｙｅｓ）は、ステップＳ４１において、落射シャッタ２３を閉じて落射照明光源２１から出射された照明光が試料３に照射しないようにして処理を終了する。
【００３８】
このような照明光制御プログラムの処理により、動作モードが動画表示モード（図４の動画表示中）の際には上記試料３へ常に照明光が照射されるように落射シャッタ２３が制御される。
図５は、動画表示におけるＣＣＤの駆動方法を説明するためのタイミングチャートである。
【００３９】
図５において上段から順に、フレーム番号、垂直同期信号ＶＤ、電荷蓄積領域の電荷を半導体基板に強制排出するための基板印加高電圧パルスＶＳＵＢ、電荷蓄積領域から垂直転送路への移送パルスＴＧ、撮像素子（ＣＣＤ）の電荷蓄積状態、撮像素子（ＣＣＤ）出力、メモリ動作状態、画像表示状態、露光期間信号ＥＸＰ、顕微鏡シャッタ制御信号を示している。
【００４０】
１フレーム中（垂直同期信号ＶＤと次の垂直同期信号ＶＤとの間）、ＳＵＢパルス（ＶＳＵＢ）に重畳されている期間は、電荷蓄積領域に蓄積された電荷を半導体基板に強制排出するため電荷がＣＣＤ４２へ蓄積されることはない。一方、ＳＵＢパルスがＣＣＤ４２に入力されていない期間は電荷がＣＣＤ４２へ蓄積（図５のＣＣＤ蓄積１）される。すなわちＳＵＢパルスが入力されていない期間が露光期間となる。なおＶＳＵＢにパルスを重畳する期間を変更することで、露光期間の変更ができる。
【００４１】
ＣＣＤ４２に蓄積された信号電荷は、電荷移送パルスＴＧによりＣＣＤ４２内部にある不図示の垂直転送路に読み出される。次フレーム（次垂直同期信号ＶＤの期間）で垂直転送路を転送した信号電荷は、不図示の水平転送路に転送され、この水平転送路を読み出しＡＭＰ４４方向に転送され、電荷検出器を介して、最終的に読み出しアンプにより１画素ずつ順次出力（図５のＣＣＤ出力１）されるようになっている。
【００４２】
一方、ＣＣＤ４２では信号電荷を読み出しながら次フレームの信号電荷を電荷蓄積領域で所定の露光期間に蓄積を行なう。
このようにＣＣＤ４２では毎フレームの電荷蓄積のための露光動作を行っている。すなわち、移送パルスＴＧからは毎フレーム露光期間を表す信号が出力されている。
【００４３】
ここでシャッタ制御信号生成部９０は、ＣＰＵ６０から上記動作モードが動画表示期間中であることが設定されており、動作定義テーブル６５（図４参照）においては、動画表示期間中は落射シャッタ２３を常時開けているように動作が定義されている。
従って、動画表示期間中、シャッタ制御信号生成部９０は落射シャッタ２３を開くような信号を落射シャッタ２３に出力する。図５においては顕微鏡シャッタ制御信号の出力がＨｉレベルが落射シャッタ２３を開く信号レベルとなっている。
【００４４】
次に、図６を用いて静止画取り込み時の動作について説明する。
図６は、静止画取り込みにおけるＣＣＤの駆動方法を説明するためのタイミングチャートである。
図６において上段から順に、フレーム番号、垂直同期信号ＶＤ、電荷蓄積領域の電荷を半導体基板に強制排出するための基板印加高電圧パルスＶＳＵＢ、電荷蓄積領域から垂直転送路への移送パルスＴＧ、撮像素子（ＣＣＤ）の電荷蓄積状態、撮像素子（ＣＣＤ）出力、メモリ動作状態、画像表示状態、静止画記録状態、露光期間信号ＥＸＰ、顕微鏡シャッタ制御信号を示している。
【００４５】
静止画取り込みは、操作部６１からの静止画記録トリガにより動作が開始される（図６の静止画記録トリガ）。
静止画記録トリガが与えられるまでは電子カメラ３６は、動画表示動作を行っていたので、落射シャッタ２３は開いた状態になっている。静止画記録トリガが与えられると次垂直同期信号ＶＤ期間では静止画のための露光を行なう。
【００４６】
観察光はＣＣＤ４２で所定の露光期間電荷蓄積される（図６のＣＣＤ蓄積３）。次に電荷移送パルスＴＧにより蓄積された電荷は垂直転送路に読み出され、動画表示時と同様にＣＣＤ４２から出力され（図６のＣＣＤ出力３）、画像メモリ４６に一時記憶される（図６のメモリ“３書き込み”）。垂直同期信号ＶＤ期間において画像信号が画像メモリ４６から読み出され画像処理が施されて記録媒体５８に記録される。
【００４７】
ここで静止画記録動作中には動作定義テーブル６５においては静止画の露光期間のみ落射シャッタ２３を開くように定義されている。従って静止画記録動作中の顕微鏡シャッタ制御信号は静止画のための露光期間にのみ落射シャッタ２３を開くような信号を出力し、ＳＵＢパルスにより蓄積電荷が排出されている期間および静止画のために蓄積された電荷を読み出している期間は落射シャッタ２３が閉じるような信号を出力する。
【００４８】
図６においては顕微鏡シャッタ制御信号の出力がＨｉレベルが落射シャッタ２３を開く信号レベル、顕微鏡シャッタ制御信号がＬｏレベルの時が落射シャッタ２３を閉じる信号レベルとなっている。
このような処理により、動作モードが静止画表示モードの際には露光期間にのみ上記試料３へ照明光が照射されるように落射シャッタ２３が制御される。
【００４９】
以上図３乃至図６を用いて説明した基本的な動作により動画表示期間中は、落射シャッタ２３を毎フレーム開閉することがなく、シャッタ動作音が発せられることがないので、使用者は不要な音を聞くことなく快適に観察を行なうことができ、静止画記録動作中には試料３に必要な期間だけ励起光が照射されることになり、観察中の快適性と試料３の褪色など試料３の損傷防止とを両立できる。
【００５０】
次に、上述のように動作する電子カメラ３６において試料３の経時変化を記録する間欠撮影時の動作について説明する。
静止画記録トリガが与えられるまでは動画表示期間であることは上記と同様である。
図７は、間欠撮影において照明光制御プログラムが実行する処理の流れを示すフローチャートである。
【００５１】
まず、ステップＳ６１において、落射シャッタ２３を閉じ、ステップＳ６２において、間欠撮影時の撮影フレーム数をカウントするカウンタＦＲＭに０を代入し初期化する。
そして、ステップＳ６３において、間欠撮影の指示がある（ＯＮ）か否かを判断し、指示があると判断された場合（Ｙｅｓ）は、ステップＳ６４において、間欠撮影時の撮影間隔タイマー（間欠タイマー）ＴＭＩＮＴＶＬに０代入し初期化し、ステップＳ６５において、撮影間隔タイマー（間欠タイマー）ＴＭＩＮＴＶＬのカウントアップを開始する。
【００５２】
次に、ステップＳ６６において、ＳＵＢパルス（ＶＳＵＢ）を発生させるとともに、ステップＳ６７において、落射シャッタ２３を開き、ステップＳ６８において、ＳＵＢパルスを停止させると同時に露光期間信号ＥＸＰによりＣＣＤ４２への電荷の蓄積を開始する。
【００５３】
そして、ステップＳ６９において、蓄積開始からの経過時間Ｔが予め設定された露光時間ＴＥＸＰに達するまで（Ｔ＝ＴＥＸＰとなるまで）、ＣＣＤ４２への電荷の蓄積を行ない、Ｔ＝ＴＥＸＰとなったらステップＳ７０において、移送パルスＴＧを発生させ、ＣＣＤ４２への蓄積を終了する。
【００５４】
次に、ステップＳ７１において、落射シャッタ２３を閉じ、ステップＳ７２において、ステップＳ６８乃至ステップＳ７０でＣＣＤ４２に蓄積された電荷の出力を開始するともにメモリへの書き込みおよび画像表示を開始し、ステップＳ７３において、静止画を記録する。
【００５５】
そして、ステップＳ７３で静止画を記録したことにより、ステップＳ７４において、間欠撮影フレーム数ＦＲＭを１インクリメントし（ＦＲＭ＝ＦＲＭ＋１）、ステップＳ７５において、間欠撮影がＯＮであるか否かを再度判断する。
ステップＳ７５で間欠撮影がＯＮであるかと判断された場合（Ｙｅｓ）は、ステップＳ７６において、間欠撮影フレーム数ＦＲＭが予め定めた設定枚数FINTVL に達したか否か（ＦＲＭ＝ＦＩＮＴＶＬとなったか否か）を判断し、達したならば（Ｙｅｓ）処理を終了する一方、達していない場合（Ｎｏ）は、ステップＳ７７において、撮影間隔タイマー（間欠タイマー）ＴＭＩＮＴＶＬが予め定めた間隔ＴＩＮＴＶＬに達するまで（ＴＭＩＮＴＶＬ＝ＴＩＮＴＶＬとなるまで）待機し、達したならば（Ｙｅｓ）ステップＳ６４以降を繰り返す。
【００５６】
図８は、間欠撮影におけるＣＣＤの駆動方法を説明するためのタイミングチャートである。
図８において上段から順に、フレーム番号、垂直同期信号ＶＤ、電荷蓄積領域の電荷を半導体基板に強制排出するための基板印加高電圧パルスＶＳＵＢ、電荷蓄積領域から垂直転送路への移送パルスＴＧ、撮像素子（ＣＣＤ）の電荷蓄積状態、撮像素子（ＣＣＤ）出力、メモリ動作状態、画像表示状態、静止画記録状態、露光期間信号ＥＸＰ、顕微鏡シャッタ制御信号を示している。
【００５７】
操作部６１より間欠撮影の撮影枚数と撮影間隔があらかじめ設定され、また撮影待機期間中は動画表示を行なわない設定もされる。
操作部６１より静止画記録トリガが与えられると、上記静止画記録動作と同様にＣＣＤ４２で所定の蓄積期間電荷が蓄積される（図８のＣＣＤ蓄積３）。このときシャッタ制御信号生成部９０は静止画記録のための露光期間にのみＨｉレベル信号を出力する。
【００５８】
次に蓄積電荷は次の垂直同期信号ＶＤ期間にＣＣＤ４２から出力され（図８のＣＣＤ出力３）、画像メモリ４６に一時記憶される。この垂直同期信号ＶＤ期間中、シャッタ制御信号生成部９０は落射シャッタ２３を閉じるようにＬｏレベル信号を出力をする。
さらに次の垂直同期信号ＶＤ期間では画像メモリ４６から出力される画像信号が画像信号処理回路５１において画像処理が施され（図８の画像処理３）、上記静止画記録動作同様に記録媒体５８に記録される。
【００５９】
画像処理期間及び記録媒体５８への記録期間も含めて、次の撮影までの撮影待機期間中は動画表示が行われないので、シャッタ制御信号生成部９０は落射シャッタ２３を閉じるようＬｏレベル信号を出力する。
あらかじめ設定されている撮影間隔が経過すると次の静止画記録のための露光を行ない、シャッタ制御信号生成部９０はその露光期間中落射シャッタ２３を開けるようＨｉレベル信号を出力する。
【００６０】
このとき蓄積された信号電荷（図８のＣＣＤ蓄積８）は次の垂直同期信号ＶＤ期間にＣＣＤ４２から出力され（図８のＣＣＤ出力８）、画像メモリ４６に一時記憶され、さらに次の垂直同期信号ＶＤ期間に記録媒体５８に記録される。
上記動作をあらかじめ設定されている撮影枚数分繰り返して、所定の枚数分の記録が終了すると再び動画表示のための露光を開始する（図８のＣＣＤ蓄積１３）。
【００６１】
同時にこの期間より再び落射シャッタ２３を常時開くようにシャッタ制御信号生成部９０はＨｉレベル信号を出力する。
上記のように間欠撮影中において撮影待機中に動画表示を行なわない設定がされている場合には、間欠撮影動作前後の動画非表示中は落射シャッタ２３は閉じて、間欠撮影動作中は静止画記録のための露光期間中のみ落射シャッタ２３が開くよう動作するので、静止画記録時の必要な期間だけ試料３に照明光が照射され、試料３の褪色など損傷を抑えつつ、前後の動画表示中は煩わしいシャッタ動作音を聞くことなく快適に観察が行なえる。
【００６２】
以上は間欠撮影中に動画表示を行なわない場合の動作であるが、例えば操作部６１から撮影待機中に「自動露出を行なう」という設定がされれば、撮影待機中に次撮影のための自動露出設定を行なうことも可能であり、この場合はＣＰＵ６０は撮影待機中に自動露光のための画像取得時に一時的に動画表示状態にし、その期間はシャッタ制御信号生成部９０は落射シャッタ２３を開放し、自動露光設定が終了すると動画表示状態を解消することでシャッタ制御信号生成部９０は落射シャッタ２３を閉じる動作とすればよい。
【００６３】
次に、図９乃至図１１を用いて、本発明に係る第２の実施の形態について説明する。
本第２の実施の形態は、一般的に撮像素子（ＣＣＤ）が有する露光時間や温度に依存する暗時ノイズの抑圧処理時の動作についての実施の形態である。なお、動画表示中の動作は第１の実施の形態と同様なので説明を省略する。
【００６４】
図９は、暗時ノイズの抑圧処理を説明するための図である。
図９において、画像メモリ４６は、画像メモリ１（４６−１）と画像メモリ２（４６−２）とを備え、画像信号処理回路５１は、演算部８０と階調補正部８１と輪郭強調部８２とを備えている。
【００６５】
画像メモリ１（４６−１）は明時画像を格納し、画像メモリ２（４６−２）は暗時画像を格納する。そして、演算部８０は、画像メモリ１（４６−１）に格納された明時画像から、画像メモリ２（４６−２）に格納された暗時画像を減算し、ＣＣＤ４２が有する暗電流に起因するノイズを抑制する。また、階調補正部８１は、演算部８０が減算した画像データの階調を補正し、輪郭強調部８２は、さらに輪郭を強調する処理を行なう。
【００６６】
図１０は、暗時ノイズの抑圧処理において照明光制御プログラムが実行する処理の流れを示すフローチャートである。
まず、ステップＳ８１において、落射シャッタ２３を閉じた状態から、ステップＳ８２において、ＳＵＢパルス（ＶＳＵＢ）を発生させるとともに、ステップＳ８３において、落射シャッタ２３を開く。
【００６７】
次に、ステップＳ８４において、ＳＵＢパルスを停止させると同時に露光期間信号ＥＸＰにより明時画像についてのＣＣＤ４２への電荷の蓄積を開始する。
そして、ステップＳ８５において、蓄積開始からの経過時間Ｔが予め設定された露光時間ＴＥＸＰに達するまで（Ｔ＝ＴＥＸＰとなるまで）、明時画像についてのＣＣＤ４２への電荷の蓄積を行ない、Ｔ＝ＴＥＸＰとなったらステップＳ８６において、移送パルスＴＧを発生させ、明時画像についてのＣＣＤ４２への蓄積を終了する。
【００６８】
次に、ステップＳ８７において、落射シャッタ２３を閉じ、ステップＳ８８において、ステップＳ８４乃至ステップＳ８６でＣＣＤ４２に蓄積された明時画像についての電荷の出力およびメモリへの書き込みを開始するとともに、暗時画像についてのＳＵＢパルス（ＶＳＵＢ）を発生させる。
【００６９】
そして、ステップＳ８９において、明時画像についての出力およびメモリへの書き込みを終了させるとともに、ＳＵＢパルスを停止させると同時に露光期間信号ＥＸＰにより暗時画像についてのＣＣＤ４２への電荷の蓄積を開始する。
次に、ステップＳ９０において、蓄積開始からの経過時間Ｔが予め設定された露光時間ＴＥＸＰに達するまで（Ｔ＝ＴＥＸＰとなるまで）、暗示時画像についてのＣＣＤ４２への電荷の蓄積を行ない、Ｔ＝ＴＥＸＰとなったらステップＳ９１において、移送パルスＴＧを発生させ、暗時画像についてのＣＣＤ４２への蓄積を終了する。
【００７０】
そして、ステップＳ９２において、ステップＳ８９乃至ステップＳ９１でＣＣＤ４２に蓄積された暗時画像についての電荷の出力およびメモリへの書き込みを行なう。
次に、ステップＳ９３において、暗時ノイズ抑圧演算処理、すなわち、明時画像から暗時画像を減算する処理を行ない、また階調補正処理、輪郭強調処理などを行ない、ステップＳ９４において、静止画を記録する。
【００７１】
図１１は、暗時ノイズの抑圧処理におけるＣＣＤの駆動方法を説明するためのタイミングチャートである。
図１１において上段から順に、フレーム番号、垂直同期信号ＶＤ、電荷蓄積領域の電荷を半導体基板に強制排出するための基板印加高電圧パルスＶＳＵＢ、電荷蓄積領域から垂直転送路への移送パルスＴＧ、撮像素子（ＣＣＤ）の電荷蓄積状態、撮像素子（ＣＣＤ）出力、メモリ動作状態、暗時ノイズ抑圧処理状態、画像表示状態、静止画記録状態、カメラシャッタ制御信号、露光期間信号ＥＸＰ、顕微鏡シャッタ制御信号を示している。なお、図１１のタイミングチャート図では静止画記録時に長時間露光時の動作を表している。
【００７２】
暗時ノイズ抑圧処理を行なう場合は、まず実際に撮影像（明時画像）をカメラシャッタ９１を開放にした状態で露光する。次にカメラシャッタ９１を閉じて、ＣＣＤ４２を遮光したときの画像（暗時画像）を明時画像と同一の時間露光する。
そして明時画像から暗時画像を減算すること暗時ノイズの抑圧処理を行なう。
【００７３】
操作部６１から暗時ノイズ抑圧を行なう設定がされているときに、静止画記録トリガが与えられると次の垂直同期信号ＶＤで静止画記録のための明時画像の露光を開始する。
長時間露光の場合ＳＵＢパルス（ＶＳＵＢ）が停止した時から電荷移送パルスＴＧが入力されるまでの期間が露光期間となり、図１１では２垂直同期信号ＶＤ期間強が露光期間となり、その間ＣＣＤ４２では電荷が蓄積される（図１１のＣＣＤ蓄積２）。
【００７４】
このときカメラシャッタ９１は開放状態、また落射シャッタ２３は明時画像の露光期間のみ開放状態となっている。
電荷移送パルスＴＧが入力されると明時画像の露光期間は終了し、ＣＰＵ６０はカメラシャッタ９１を閉じるとともに、シャッタ制御信号生成部９０は落射シャッタ２３を閉じるようＬｏレベル信号を出力する。
【００７５】
なお図１１ではカメラシャッタ制御信号Ｈｉレベルでカメラシャッタ９１の開放動作、カメラシャッタ制御信号がＬｏレベルでカメラシャッタ９１の遮光という動作としている。
また電荷移送パルスＴＧが入力されると次の垂直同期信号ＶＤで、蓄積された電荷をＣＣＤ４２から出力する（図１１のＣＣＤ出力２）。またＣＣＤ４２からの出力画像は画像メモリ１（４６−１）に一時記憶される。
【００７６】
ＣＣＤ４２から明時画像を出力するのと同時に、ＣＣＤ４２は遮光されているのでＣＣＤ４２では暗時画像の露光が開始され、電荷移送パルスＴＧが入力されるまで電荷蓄積が行われる（図１１のＣＣＤ蓄積３）。
このときＣＣＤ４２は遮光画像を蓄積できればよいので、シャッタ制御信号生成部９０は暗時画像の露光期間であってもＬｏレベル信号を落射シャッタ２３に出力し、落射シャッタ２３を閉じた状態にする。
【００７７】
電荷移送パルスＴＧがＣＣＤ４２に入力されると次の垂直同期信号ＶＤでＣＣＤ４２は蓄積された電荷を出力する（図１１のＣＣＤ出力３）。またこの出力信号は画像メモリ２（４６−２）に一時記憶される。
明時画像と暗時画像が画像メモリ４６に記憶されると次の垂直同期信号ＶＤ期間で暗時ノイズ抑圧処理を行なう。メモリコントローラ５５は画像メモリ１（４６−１）と画像メモリ２（４６−２）から同時に画像信号を読み出し、演算部８０で明時画像から暗時画像を減算する（図１１の暗時ノイズ抑圧処理２−３（２マイナス３））。
【００７８】
演算部８０での減算結果は画像信号処理部５１で他の画像処理である階調補正処理や輪郭強調処理などが施され、画像表示部５９へ出力するとともに、ＤＲＡＭ５６に一時記憶され記録媒体５８に静止画として記録される。
静止画記録がされると、動画表示再開のためにＣＰＵ６０はカメラシャッタ９１を開放させるとともに、シャッタ制御信号生成部９０は顕微鏡コントロール部４１にＨｉレベル信号出力し、落射シャッタ２３を開放状態に制御する。
【００７９】
以上の動作によってカメラシャッタ９１の開閉を伴う暗時ノイズ抑圧処理を行なう場合には、動画表示期間中は落射シャッタ２３は常時開いて、静止画記録時には暗時画像の露光期間は落射シャッタ２３を閉じ、明時画像の露光期間のみ落射シャッタ２３が開くよう動作するので、静止画記録時の必要な期間だけ試料３に照明光が照射され、試料３の褪色など損傷を抑えつつ、前後の動画表示中は煩わしいシャッタ動作音を聞くことなく快適に観察が行なえる。すなわち、動作モードが明時画像を取得するモードの際には露光期間にのみ上記試料３へ照明光が照射されるように落射シャッタ２３が制御され、動作モードが暗時画像を取得するモードの際には露光期間中の上記試料３への照明光を遮光するように落射シャッタ２３が制御される。
【００８０】
以上、図１乃至図１１を用いて本発明を適用した第１の実施の形態および第２の実施の形態を説明してきたが、これらの実施の形態で説明した落射照明光源２１および落射シャッタ２３の代わりに、図１２に示した第１の変形例における顕微鏡システムのように、顕微鏡装置の検鏡法によっては透過照明光源１３と透過シャッタ１６１を用いた顕微鏡装置を撮像装置（電子カメラ３６）とを組み合わせても良い。
【００８１】
また、図１３に示した第２の変形例における顕微鏡システムに用いられる電子カメラ３７のように、上述の電子カメラ３６の一部機能、すなわち、画像メモリ４６、画像信号処理回路５１、メモリコントローラ５５、ＤＲＡＭ５６、圧縮伸長回路５７、記録媒体５８、画像表示部５９、ＣＰＵ６０、操作部６１、ＲＯＭ６２、ＲＡＭ６３を、外部Ｉ／Ｆ１６０を介した外部のコンピュータ（ＰＣ）１７０が備えるようにしても良い。
【００８２】
以上、本発明の各実施の形態および変形例を、図面を参照しながら説明してきたが、本発明が適用される撮像装置は、その機能が実行されるのであれば、上述の各実施の形態等に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００８３】
また、バスに接続されたＣＰＵ、ＲＯＭやＲＡＭのメモリ、入力装置、出力装置、外部記録装置、媒体駆動装置、可搬記録媒体、ネットワーク接続装置で構成されるシステムでも実現できる。すなわち、前述してきた各実施の形態のシステムを実現するソフトェアのプログラムコードを記録したＲＯＭやＲＡＭのメモリ、外部記録装置、可搬記録媒体を、撮像装置に供給し、その撮像装置のコンピュータがプログラムコードを読み出し実行することによっても、達成されることは言うまでもない。
【００８４】
この場合、可搬記録媒体等から読み出されたプログラムコード自体が本発明の新規な機能を実現することになり、そのプログラムコードを記録した可搬記録媒体等は本発明を構成することになる。
プログラムコードを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００８５】
また、コンピュータがメモリ上に読み出したプログラムコードを実行することによって、前述した各実施の形態の機能が実現される他、そのプログラムコードの指示に基づき、コンピュータ上で稼動しているＯＳなどが実際の処理の一部または全部を行ない、その処理によっても前述した各実施の形態の機能が実現される。
【００８６】
さらに、可搬型記録媒体から読み出されたプログラムコードやプログラム（データ）提供者から提供されたプログラム（データ）が、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した各実施の形態の機能が実現され得る。
【００８７】
すなわち、本発明は、以上に述べた各実施の形態等に限定されるものではなく、本発明の要旨を逸脱しない範囲内で種々の構成または形状を取ることができる。
【図面の簡単な説明】
【００８８】
【図１】顕微鏡システムの構成を示す図である。
【図２】顕微鏡システムに用いられる電子カメラの構成を示すブロック図である。
【図３】動画表示において照明光制御プログラムが実行する処理の流れを示すフローチャートである。
【図４】動作定義テーブルのデータ構造を示す図である。
【図５】動画表示におけるＣＣＤの駆動方法を説明するためのタイミングチャートである。
【図６】静止画取り込みにおけるＣＣＤの駆動方法を説明するためのタイミングチャートである。
【図７】間欠撮影において照明光制御プログラムが実行する処理の流れを示すフローチャートである。
【図８】間欠撮影におけるＣＣＤの駆動方法を説明するためのタイミングチャートである。
【図９】暗時ノイズの抑圧処理を説明するための図である。
【図１０】暗時ノイズの抑圧処理において照明光制御プログラムが実行する処理の流れを示すフローチャートである。
【図１１】暗時ノイズの抑圧処理におけるＣＣＤの駆動方法を説明するためのタイミングチャートである。
【図１２】第１の変形例における顕微鏡システムの構成を示す図である。
【図１３】第２の変形例における顕微鏡システムに用いられる電子カメラの構成を示すブロック図である。
【符号の説明】
【００８９】
３          試料
５          三眼鏡筒ユニット
６          接眼レンズユニット
１３        透過照明光源
２１        落射照明光源
２３        落射シャッタ
２６        ステージ
２７        対物レンズ
３０        キューブユニット
３６        電子カメラ
３７        電子カメラ
４２        固体撮像素子（ＣＣＤ）
４３        ＣＤＳ回路
４４        増幅器（ＡＭＰ）
４５        Ａ／Ｄ変換器
４６        画像メモリ
４６−１    画像メモリ１
４６−２    画像メモリ２
４９        ＳＵＢパルス重畳回路
５１        画像信号処理回路
５２        ＯＢクランプ回路
５３        タイミングジェネレータ（ＴＧ）
５４        シンクジェネレータ（ＳＧ）
５５        メモリコントローラ
５６        ＤＲＡＭ
５７        圧縮伸長回路
５８        記録媒体
５９        画像表示部
６０        ＣＰＵ
６１        操作部
６２        ＲＯＭ
６３        ＲＡＭ
６４        照明光制御プログラム
６５        動作定義テーブル
８０        演算部
８１        階調補正部
８２        輪郭強調部
９０        シャッタ制御信号生成部
９１        カメラシャッタ
１００      結像レンズ
１６０      外部Ｉ／Ｆ
１６１      透過シャッタ
１７０      コンピュータ（ＰＣ）
【図１】
2005316036.tif 000003
【図２】
2005316036.tif 000004
【図３】
2005316036.tif 000005
【図４】
2005316036.tif 000006
【図５】
2005316036.tif 000007
【図６】
2005316036.tif 000008
【図７】
2005316036.tif 000009
【図８】
2005316036.tif 000010
【図９】
2005316036.tif 000011
【図１０】
2005316036.tif 000012
【図１１】
2005316036.tif 000013
【図１２】
2005316036.tif 000014
【図１３】
2005316036.tif 000015